(57)【要約】  本発明は、可動の封止手段３、４を有し、端部の一方が電気部品回路の端子の一方に接続され、他方の端部が、ハウジングの壁に締結され、ハウジングの内部に突出するとともに、接点ポストＰ１、Ｐ２、Ｐ３を構成する導電性端子Ｔ１〜Ｔ３を備えたハウジング２と、プランジャー軸体１２から成るとともに、プランジャー軸体１２とハウジングの内壁６との間に形成された空間Ｄ２内に配置されたばね２１を含む制御素子を２つの位置の間で転位させるアクチュエータ９と、可溶材料によって適所で保持されたプランジャー軸体の固定素子を含むトリガー１０と、ハウジングによって支持された端子の２つの接点ポスト間に電気的連続性をもたらす接点区域を含む転極器１１とを備える、電気部品のモジュール式バイパス素子に関する。本発明は、より具体的には、不具合を起こしているバッテリー要素の隔離および短絡における用途が見出される。
2009540488.tif 000002
【特許請求の範囲】
【請求項１】
可動の封止手段（３、４）を有し、端部の一方が電気部品回路の端子の一方に接続され、他方の端部が、ハウジングの壁に締結され、前記ハウジングの内部に突出するとともに、接点ポスト（Ｐ１、Ｐ２、Ｐ３）を構成する導電性端子（Ｔ１、Ｔ２、Ｔ３）を備えたハウジング（２）と、プランジャー軸体（１２）から成るとともに、前記プランジャー軸体（１２）と前記ハウジングの内壁（６）との間に形成された空間（Ｄ２）内に配置されたばね（２１）を含む制御素子を２つの位置の間で転位させるアクチュエータ（９）と、可溶材料によって適所で保持された前記プランジャー軸体の固定素子を含むトリガー（１０）と、前記ハウジングによって支持された前記端子の２つの接点ポスト間に電気的連続性をもたらす接点区域を含む転極器（１１）とを備える、電気部品のモジュール式バイパス素子であって、前記アクチュエータ（９）の前記プランジャー軸体（１２）が、その端部の一方において、前記トリガー（１０）の容易な交換および締結を可能にする台座（１４）を提供する、中央穴を備えた筒（１３）の形態の円筒部を含む肩部（１７）を備えた一個片の軸体であることを特徴とする、モジュール式バイパス素子。
【請求項２】
前記トリガー（１０）が、前記プランジャー軸体（１２）の前記台座（１４）の前記中央穴内で摩擦によって保持されるアダプタ（２０）を含むことを特徴とする、請求項１に記載のモジュール式バイパス素子。
【請求項３】
前記トリガー（１０）が、前記プランジャー軸体（１２）の前記台座（１４）のねじ山（１９）にねじ込むことによって保持されるアダプタ（２０）を含むことを特徴とする、請求項１に記載のモジュール式バイパス素子。
【請求項４】
前記アダプタ（２０）が、ねじ（２３）の少なくとも一巻き（２５）と協調して作用する少なくとも１つのタペット（２６）によって係止位置で保持される、トルクを提供する前記ねじ（２３）を受け入れるねじ山（２２）を含み、コイル（２７）に嵌合される前記少なくとも１つのタペット（２６）が、可溶性ブレース（２９）にフック留めされた固定ワイヤ（２８）によって係止位置で保持されることを特徴とする、請求項１に記載のモジュール式バイパス素子。
【請求項５】
前記アダプタ（２０）が、少なくとも１つのタペット（２６）によって支持される弓形ピン（３２）を有するポスト（３１）を含み、コイルに嵌合される前記少なくとも１つのタペット（２６）が、可溶性ブレース（２９）にフック留めされた固定ワイヤ（２８）によって係止位置で保持されることを特徴とする、請求項１に記載のモジュール式バイパス素子。
【請求項６】
前記可溶性ブレース（２９）が溶解すると、前記タペット（２６）が横方向に滑動する動きによって分離することを特徴とする、請求項４または５に記載のモジュール式バイパス素子。
【請求項７】
前記少なくとも１つのタペット（２６）が、前記トリガー（１０）の端部の溝（３４）内でその縁部が支持されるアーム（３３）を含むことを特徴とする、請求項５に記載のモジュール式バイパス素子。
【請求項８】
前記可溶性ブレース（２９）が溶解すると、前記タペット（２６）が旋回によって分離することを特徴とする、請求項７に記載のモジュール式バイパス素子。
【請求項９】
単一のタペットが、斜角が付けられた金属ピンと協調して作用することを特徴とする、請求項７に記載のモジュール式バイパス素子。
【請求項１０】
可動の封止手段（３、４）を有し、端部の一方が電気部品回路の端子の一方に接続され、他方の端部が、ハウジングの壁に締結され、前記ハウジングの内部に突出するとともに、接点ポスト（Ｐ１、Ｐ２、Ｐ３）を構成する導電性端子（Ｔ１、Ｔ２、Ｔ３）を備えたハウジング（２）と、プランジャー軸体（１２）から成るとともに、前記プランジャー軸体（１２）と前記ハウジングの内壁（６）との間に形成された空間（Ｄ２）内に配置されたばね（２１）を含む制御素子を２つの位置の間で転位させるアクチュエータ（９）と、可溶材料によって適所で保持された前記プランジャー軸体の固定素子を含むトリガー（１０）と、前記ハウジングによって支持された前記端子の２つの接点ポスト間に電気的連続性をもたらす接点区域を含む転極器（１１）とを備える、電気部品のモジュール式バイパス素子であって、前記アクチュエータ（９）の前記プランジャー軸体（１２）が、その端部の一方において、前記転極器（１１）の容易な交換および締結を可能にするピン（１６）の形態の円筒部分を含む肩部（１７）を備えた一個片の軸体であることを特徴とする、モジュール式バイパス素子。
【請求項１１】
前記転極器（１１）が、前記ピン（１６）のねじ山（１８）にねじ込むことによって適所で保持されるジャケット（３７）を含むことを特徴とする、請求項１０に記載のモジュール式バイパス素子。
【請求項１２】
前記ジャケット（３７）が、導電性であり、前記プランジャー軸体（１２）の位置に応じて前記接点ポスト（Ｐ１、Ｐ２、Ｐ３）間に電気的連続性をもたらすことを特徴とする、請求項１０および１１に記載のモジュール式バイパス素子。
【請求項１３】
絶縁性の支柱（３８）および絶縁性のはさみ金（３９）が、前記導電性ジャケット（３７）の位置決めおよび係止をもたらすことを特徴とする、請求項１０から１２に記載のモジュール式バイパス素子。
【請求項１４】
前記ポスト（Ｐ１〜Ｐ３）が、前記ハウジング（２）の前記空間（Ｄ３）に突出する円形の金属接点ストリップ（３６）を備えることを特徴とする、請求項１０に記載のモジュール式バイパス素子。
【請求項１５】
前記導電性ジャケット（３７）が、前記ハウジング（２）の前記空間（Ｄ３）内に突出する円形の金属接点ストリップ（３６）を位置決めする凹部（４０）を含むことを特徴とする、請求項１０から１２に記載のモジュール式バイパス素子。
【請求項１６】
前記ジャケット（３７）が、導電材料で作られたキー（４２）を受け入れる台座（４１）の形態を有することを特徴とする、請求項１０に記載のモジュール式バイパス素子。
【請求項１７】
前記キー（４２）が止め輪（４３）によって適所で保持されることを特徴とする、請求項１６に記載のモジュール式バイパス素子。
【請求項１８】
前記キー（４２）が、前記台座（４１）内に位置し、カラー（４２）に作用するばね（４４）によって圧縮状態で維持されることを特徴とする、請求項１６に記載のモジュール式バイパス素子。
【請求項１９】
前記キー（４２）がそれぞれ、前記台座（４１）内に位置する個々のばねによって圧縮状態で維持されることを特徴とする、請求項１６に記載のモジュール式バイパス素子。
【請求項２０】
前記キー（４２）がそれぞれ、前記台座（４１）内に位置する一体化された個々のばねによって圧縮状態で維持されることを特徴とする、請求項１６に記載のモジュール式バイパス素子。
【発明の詳細な説明】
【技術分野】
【０００１】
本発明は、電気部品のバイパス素子に関し、より具体的には、制御電流を使用する熱的活性化バイパス素子に関する。より具体的には、不具合を起こしているバッテリー要素の隔離および短絡における用途が見出される。
【背景技術】
【０００２】
この種の事故に対する保護は、多数の研究、特に搭載型宇宙ミサイルなどのアクセスが困難なバッテリーの主題となってきた。
【０００３】
実際には、バッテリー要素が不具合を起こしているとき、作動し続け、バッテリーが電位を供給しなければならない回路に対して供給を続けてもよい、正常なバッテリー要素の機能を損なわないように、不具合を起こしているバッテリー要素を隔離することが必須である。
【０００４】
概して言えば、バッテリーバイパスとも呼ばれるバイパス素子は、ハウジング内に位置するアクチュエータ、トリガー、および転極器から成り、それら３つの部品はそれぞれ、それ自体の機能を有する。したがって、アクチュエータは機械的素子であり、軸体またはプランジャーと呼ばれる制御素子を、２つの位置の間で転位させることができなければならない。トリガーは、温度の上昇を生じさせる制御電流が加えられると、アクチュエータを解放するため、溶解または崩壊する可溶材料を含む機械的素子である。転極器は、その２つの位置それぞれにおいて、ハウジングによって支持され、バッテリー要素の回路端子に接続された３つの端子のうち２つの間に、電気的連続性をもたらす素子である。
【０００５】
軸体は、概して言えば、その端部の一方において、軸体とハウジングの内壁との間に設けられた空間内に位置するばねに対する止め具の役割を果たすフランジを備える。この空間は、軸体のカラーと円形の肩部との間でばねを捕捉するような形で、ハウジングの内面に切り込まれた円形の肩部を備える。したがって、ばねは圧縮状態で維持されるが、軸体は、すなわち、軸体が転極器をそれが機能する正常位置で保持するとき、かつ２つの第１の端子間に電気的連続性がもたらされるとき、トリガーによって被覆位置（sheathed position）で維持される。バッテリー要素が機能障害を起こした場合、トリガーが始動され、それによって軸体が解放される。次に、軸体は、ばねの圧力を受けて、その被覆位置から解放位置へ転位される。トリガーによって解放されたこの位置により、軸体が、第１および第２の端子間に電気的連続性をもたらすことによって、不具合を起こしたバッテリー要素を隔離する位置に転極器を至らせることが可能になる。
【０００６】
電流を流すことによって材料の温度が上昇すると溶解または崩壊する、可溶材料を使用するトリガーが良く知られている。
【０００７】
この原理は、米国特許第３，３８８，９３３号に記載されており、該特許は、保守点検を行い、かつ嵩高な物体固定用のフープ材を解放する目的で、半殻を分離させることができる状態で維持する可溶要素を含むトリガーを取り扱っている。
【０００８】
この原理の一応用例は、特に、米国特許第３，９２４，６８８号に開示されており、該特許は、可溶要素を溶解させることによってその緩みが制御される歪ませたワイヤコイルを用いて、２つの係止された半殻がそれに接触して維持されているアクチュエータ軸体を解放することを記載している。コイルの緩みにより、２つの半殻を分離させ、結果として軸体を解放することが可能になる。
【０００９】
この原理に対する一改善例は、米国特許第５，４７１，８８８号に開示されており、該特許は、２つの半殻と可溶要素がその上に位置する絶縁体とを含む一実施形態を記載している。
【００１０】
バッテリーが異常を示したとき、電気的閾値に反応する要素が溶解するおかげで、アセンブリの２つの部品が物理的に分離することによって、バッテリーの要素の分離を可能にするアクチュエータの技術は、同様に良く知られている。
【００１１】
米国特許第５，３６２，５７６号は、絶縁性シリンダの端部を構成する２つの端子間に位置する導電性プランジャーに関する。出力端子はバッテリー要素に接続される。正常に機能しているとき、プランジャーは、可溶要素を介して端子と電気的に接触した状態で維持される。その結果、電流が、金属スリーブの形態の周辺接点も含むプランジャーを介して端子間を流れる。バッテリー要素の内部抵抗の増加に対応して、電気的閾値を超えると、熱的要素は弱まり、溶解し、崩壊する。次に、プランジャーは、ばねの歪みが緩和されることによって推進され、第１の端子間の電気的連続性を崩壊させた後、第１および第２の端子を接続することによってバイパス接続をもたらす。
【００１２】
米国特許第５，４３８，１７３号は、基部、圧縮ばね、プランジャーを適所で保持する消去可能なアームを含む要素から成る、可動の実装具を含むバッテリーバイパス素子を取り扱っている。前記プランジャーは、不具合を起こした場合にアームを消去することによって作用し、結果として可動の実装具を解放し、電気的バイパス回路を確立できるようにする解放手段を備える。
【００１３】
米国特許第６，２４９，０６３号は、環状接点を有し、端子間に電気的連続性をもたらす絶縁性半軸体（half-shaft）に接続された導電性半軸体、それら自体は歪められたワイヤコイルによって接触した状態で維持されている２つの半殻によって保持された絶縁性半軸体に機械的に接続されたプランジャーを開示しており、前記歪みは、可溶要素がその電気的閾値で破壊されたときに解放される。
【発明の概要】
【発明が解決しようとする課題】
【００１４】
従来技術に記載された実施形態はすべて、要求の厳しい環境で使用されたとき、分離されてもよい比較的多数の部品を使用し、それらは、組み立てるのに費用がかかり、顧客が要求するすべてのモデルに使用することができない。さらに、前記多数の部品によって、素子の容易な現場組立て、保守点検、または修理が不可能になっている。
【００１５】
したがって、様々な部品を適応させ、導入し、交換するため、使用の際の高度な柔軟性を提供する、電気部品のモジュール式バイパス素子を提供することが必要とされている。
【００１６】
そのようなデバイスは、モジュール式であるべきであり、さらに、作業場での組立ておよび整備中において不時に始動するあらゆる危険性を回避するため、絶対的な安全性を可能にするべきである。最後に、不時に始動した場合、素子は、完全に分解することなく部品を再位置決めすることを可能にするべきである。
【課題を解決するための手段】
【００１７】
本発明の目的は、問題のプランジャー軸体の端部において、異なるタイプのトリガーならびに異なるタイプの転極器の容易な適応、嵌合、締結、および交換を可能にすることである。
【００１８】
そのため、本発明は、可動の封止手段を有し、端部の一方が電気部品回路の端子の一方に接続され、他方の端部が、ハウジングの壁に締結され、ハウジングの内部に突出するとともに、接点ポストを構成する導電性端子を備えたハウジングと、プランジャー軸体を構成するとともに、プランジャー軸体とハウジングの内壁との間に形成された空間内に配置されたばねを含む制御素子を２つの位置の間で転位させることができるアクチュエータと、可溶材料によって適所で保持されたプランジャー軸体の固定素子を含むトリガーと、ハウジングによって支持された端子の２つの接点ポスト間に電気的連続性をもたらす接点区域を含む転極器とを備え、アクチュエータのプランジャー軸体が一個片の軸体である、電気部品のモジュール式バイパス素子に関する。
【００１９】
本発明によれば、プランジャー軸体は、その端部の一方において、台座を形成する中央穴を備えた筒の形態の円筒部分を含む。
【００２０】
本発明によれば、トリガーは、中央の台座の穴内で摩擦によって適所で保持されるアダプタを含む。
【００２１】
本発明の一変形例によれば、台座の開放端はその内面上にねじ山を備える。
【００２２】
前記変形例によれば、トリガーは、台座のねじ山にプランジャー軸体をねじ込むことによって適所で保持されるアダプタを含む。
【００２３】
第１の実施形態によれば、アダプタは、コイルに嵌合されて、ねじの少なくとも一巻きと協調して作用し、可溶要素にフック留めされた保定ワイヤによって係止位置で保持される少なくとも１つのタペットによって、係止位置で維持される、トルクを形成するねじを受け入れるねじ山を含む。
【００２４】
第２の実施形態によれば、アダプタは、コイルに嵌合され、可溶要素にフック留めされた固定ワイヤによって係止位置で維持される、少なくとも１つのタペット上で支持される弓形ピンを有するポストを含む。
【００２５】
これら２つの方法を使用して、可溶要素が溶解すると、タペットは横方向に滑動する動きによって分離する。
【００２６】
第３の実施形態によれば、少なくとも１つのタペットは、縁部がそれ自体をトリガーの端部の溝内で支持するアームを含む。この方法を使用して、可溶要素が溶解すると、タペットは旋回する動きによって分離する。
【００２７】
本発明は、また、可動の封止手段を有し、端部の一方が電気部品回路の端子の一方に接続され、他方の端部が、ハウジング壁に締結され、ハウジングの内部に突出するとともに、接点ポストを構成する導電性端子を備えたハウジングと、プランジャー軸体を構成するとともに、プランジャー軸体とハウジングの内壁との間に形成された空間内に配置されたばねを含む制御素子を２つの位置の間で転位させるアクチュエータと、可溶要素によって適所で保持されたプランジャー軸体の固定素子を含むトリガーと、ハウジングによって支持された端子の２つの接点ポスト間に電気的連続性をもたらす接点区域を含む転極器とを備え、アクチュエータのプランジャー軸体が一個片の軸体である、電気部品のモジュール式バイパス素子に関する。
【００２８】
本発明によれば、プランジャー軸体は、その端部の一方において、ねじ切り部分を備えたピンの形状の円筒部分を含む。
【００２９】
本発明の好ましい一実施形態によれば、プランジャー軸体は導電材料で作られ、一変形例によれば、プランジャー軸体は絶縁材料で作られる。
【００３０】
好ましい一実施形態によれば、転極器は、導電性である場合にプランジャー軸体の位置に従ってポスト間に電気的連続性をもたらすジャケットを備える。
【００３１】
この実施形態によれば、絶縁性の支柱（strut）および絶縁性のはさみ金は、導電性ジャケットの位置決めおよび係止をもたらす。
【００３２】
第１の実施形態によれば、接点ポストは、ハウジング空間に突出する円形の金属接点ストリップを備える。
【００３３】
第２の実施形態によれば、導電性ジャケットは、ハウジング空間に突出する円形の金属接点ストリップを位置決めするための凹部を含む。
【００３４】
第３の実施形態によれば、ジャケットは、プランジャー軸体の位置に従ってポスト間に電気的連続性をもたらす、導電材料で作られたキー受入れ台座の形態を有する。
【００３５】
この実施形態によれば、キーは、止め輪を使用して適所で維持され、台座内に位置するとともにキーに作用するばねを使用して圧縮状態で維持される。一変形例では、ばねは、取り付けられるか、あるいは組み込まれた個別のものである。
【００３６】
本発明は、以下の説明およびそれに付随する図面を用いてより十分に理解されるであろう。
【図面の簡単な説明】
【００３７】
【図１】本発明によるバイパスの一実施形態の断面図である。
【図２ａ】第１の実施形態によるトリガー要素の断面図である。
【図２ｂ】第１の実施形態によるトリガー要素の断面図である。
【図３ａ】第２の実施形態によるトリガー要素の断面図である。
【図３ｂ】第２の実施形態によるトリガー要素の断面図である。
【図４】第３の実施形態によるトリガー要素の断面図である。
【図５】第１の実施形態による転極器要素の断面図である。
【図６】第２の実施形態による転極器要素の断面図である。
【図７ａ】第３の実施形態による転極器要素の断面図である。
【図７ｂ】第３の実施形態による転極器要素の断面図である。
【発明を実施するための形態】
【００３８】
バイパス素子、すなわちバイパス１は、絶縁材料から作られ、ダボ５を用いて円筒状の壁に締結された可動の封止手段３および４をその端部に備えた円筒状のハウジング２を含む。端子Ｔ１およびＴ３はハウジング２の壁を貫通しており、また、Ｔ２は図１には示されていないことに留意されたい。Ｔ１およびＴ２に関しては給電をもたらし、端子Ｔ２およびＴ３に関してはバイパス機能をもたらすこれらの端子は、ハウジング外部に位置するそれらの端部によって、図示されないバッテリー要素の回路端子に接続されている。ハウジング２の内部に位置する端子Ｔ１、Ｔ２、およびＴ３それぞれの環状端部は、後述する役割をもつ接点ポストＰ１、Ｐ２、およびＰ３を提供する。
【００３９】
ハウジング２は、その内面６上に、ハウジング２の内部区画Ｄ１およびＤ２間の直径の変化に対応する２つの肩部７および８を備える。
【００４０】
ハウジング２は、バイパスを構成する３つの要素、すなわち、アクチュエータ９、トリガー１０、および転極器１１を受け入れるために設けられ、それらの要素は、制御電流を用いて、不具合を起こしているバッテリー要素を隔離し、それによってバッテリーの残りのセルが正しく機能することを確保できるようにしている。
【００４１】
これら３つの要素はそれぞれ、それ自体の機能を有する。
【００４２】
アクチュエータ９は機械的素子であり、プランジャー軸体１２と呼ばれる制御素子を２つの位置の間で転位させる。トリガー１０は、固定手段を含むとともに、温度を上昇させる電流が加えられたとき、アクチュエータ９を解放するため、溶解または崩壊する可溶材料を有する素子である。転極器１１は、その２つの位置それぞれにおいて、バッテリー要素回路の端子に接続された３つの端子Ｔ１、Ｔ２、およびＴ３の間の電気的連続性をもたらす素子である。
【００４３】
図１に示される実施形態によれば、バイパスは、絶縁材料で作られたハウジング２を含み、その内部で、導電性であって転位させることができるプランジャー軸体１２が位置決めされ案内される。明らかに、顧客が要求するモデルの設計によれば、プランジャー軸体を絶縁材料から作ることができる。両方の場合において、プランジャー軸体１２は一個片の軸体である。
【００４４】
プランジャー軸体１２は、アクチュエータ１０を受け入れるハウジングの部分と連続しているその端部において、台座１４を形成する中央穴を備えた筒１３の形態の円筒部分を含む。台座１４の開放端は、台座の外部に向き付けられたフランジ１５を形成するカラーを備える。プランジャー軸体１２は、転極器１１を受け入れるハウジングの一部と連続しているその端部において、ピン１６の形態の円筒部分を含む。プランジャー軸体は、その中央部において、ピン１６および筒１３の円筒部分それぞれの直径の差によって形成された肩部１７を含み、前記肩部は、転極器１１の部分を位置決めし係止する手段の移動終端止め具（end-of-travel stop）を構成する。ピン１６はまた、その外面上にねじ山１８を備え、それによって転極器部品の容易な交換および締結が可能になっている。
【００４５】
台座１４の開放端は、その中央穴によってトリガー１０を装備している部品の容易な交換および締結を可能にしている。概して言えば、これらの部分は、絶縁材料または他の材料から作られたプラグなど、台座のフランジ１５を支持するとともに、摩擦によってトリガーの部品を台座内部の適所で保持するアダプタ２０から成る。一変形例では、台座はねじ山１９を含み、それが、アダプタをねじ山１９に完全にねじ込むことができるボルトによって、部品の交換および締結を可能にしている。
【００４６】
プランジャー軸体１２を、被覆位置の間で転位させるため、すなわち、プランジャー軸体がトリガー１０によって正常に機能するように維持されているとき、かつポストＰ１およびＰ２が接続されているとき、ばね２１は、筒１３の円筒部分の外面上で同軸に配置される。前記ばね２１は、軸体の外面とハウジングの内壁６との間に形成された空間Ｄ２内で、プランジャー軸体の筒のフランジ１５とハウジングの内面上に作られた円形の肩部８との間で圧縮状態で維持される。トリガー１０が作用し始めると、すなわち、バッテリー要素が異常に機能している間、ばね２１の緩みによってプランジャー軸体が空間Ｄ１内に移動し、そこでトリガーの部品が位置決めされ、次にポストＰ２およびＰ３が接続される。
【００４７】
図２ａおよび２ｂは、ボルトが台座１４のねじ山１９にねじ込まれている、トリガー１０の第１の実施形態を示す。前記ボルトは、カラー１５の役割を果たすとともに、その中心軸上に、ねじ２３を支持し、結果としてトルクを生成するねじ山２２を備えたカラーを含む。ボルトは、ハウジングの内壁に切り込まれた溝内で回転して係止され、ハウジング内へ滑動する。
【００４８】
ねじ２３は、溝２５が切り込まれており、図２ｂに見られるカム区画を有する円筒部２４を含み、その中でタペット２６がねじ２３をトルク内に係止して維持する。
【００４９】
タペット２６は、コイル２７内で組み立てられ、一方の側でコイルに、他方の側で可溶性ワイヤまたはブレース２９にフック留めされた固定ワイヤ２８によって係止位置で保持される。
【００５０】
特定の閾値を超える電流が可溶要素２９を流れると、可溶要素は溶解し、固定ワイヤ２８を解放して、それが展開し、ねじ２３およびボルトのねじ山２２によって生成されるトルク、ならびにタペット２６の端部を有する支持面２５のカム区画のおかげで、横方向に滑動する動きによってタペット２６を分離することが可能になる。
【００５１】
この実施形態によれば、タペット２６は２個であり、向かい合った形で嵌合される。しかしながら、適用のサイズに応じて、１つまたは複数のタペットを使用することが可能である。
【００５２】
一変形例では、ボルトによる連結は円筒部２４の内部に位置してもよく、その場合、ねじは、プランジャー軸体の一部を、または軸体の端部において絶縁部を形成する。さらに、導電材料で作られた軸体の場合、転極器の端子の電位がトリガーの可溶性ワイヤの電位と干渉することを防ぐため、トリガー／軸体の連結を絶縁する必要があることに留意されたい。
【００５３】
図３ａおよび３ｂは、アダプタ２０が台座１４の中央穴に収まっている、トリガー１０の第２の実施形態を示す。絶縁材料で作られたアダプタ２０は、フランジ１５を支持し被覆するとともに、絶縁とは別に、プランジャー軸体１２が空間Ｄ１内へ移動する間それを案内する、絶縁カラー３０を含む。アダプタ２０は、その焼嵌め部の反対側に、弓形または円錐形の金属ピン３２がその上に締結されるポスト３１を含む。金属ピンは、図３ｂに見られるようにこの実施形態では３個であるタペット２６に接して置かれる。前述の実施形態と同様に、タペット２６は、コイル２７内に案内され、一方の側ではコイルに、他方の側では可溶要素２９にフック留めされた固定ワイヤ２８によって適所で保持される。この実施形態によれば、タペット２６は３個であり、互いに向かい合って嵌合される。しかしながら、適用のサイズに応じて、単一または複数のタペットを、斜角が付けられた金属ピンと併せて使用することが可能である。
【００５４】
特定の閾値を超える電流が可溶要素２９を流れると、可溶要素は溶解し、固定ワイヤ２８を解放して、それが展開し、金属ピン３２とタペット２６内部の斜角が付けられた部分との間の支持の形態のおかげで、タペット２６がコイルのフランジの間で横方向に滑動して移動することが可能になり、そこで、金属ピン３２がトリガー１０の端部に形成された空間Ｄ４内に移動する。
【００５５】
図４は、図３に示される実施形態の一変形例を示す。タペット２６が機能する方式を除いて原理は同一である。前述の実施形態と同様に、金属ピンはタペット２６上でそれ自体を支持するが、前述の実施形態とは対照的に、タペット２６は分離したときにコイル２７内に案内されない。実際には、タペット２６はアーム３３を有し、そのアームは、端部において、トリガー１０の端部に切り込まれた溝３４内でそれ自体を支持する縁部を有する。前述の実施形態と同様に、タペットは、一方の側ではコイルに、他方の側では可溶要素２９にフック留めされた固定ワイヤ２８によって所定位置で保持される。同様に、この実施形態によれば、３個のタペット２６は互いに向かい合って嵌合される。しかしながら、適用のサイズに応じて、単一または複数のタペットを、斜角が付けられた金属ピンと併せて使用することが可能である。
【００５６】
所与の閾値を超える電流が可溶要素２９を流れると、可溶要素は溶解し、固定ワイヤ２８を解放して、それが展開し、金属ピン３２とタペット２６の斜角が付けられた内部との間の支持の形態のおかげで、矢印Ｆに示されるように、旋回する動きによってタペット２６が分離することが可能になる。次に、金属ピン３２は、トリガー１０の端部の空間Ｄ４内に移動する。
【００５７】
図５は、転極器１１の第１の実施形態を示す。絶縁材料で作られたハウジング２の内面６に切り込まれた凹部３５内に載置されたポストＰ１〜Ｐ３の表面上には、Ｍｕｌｔｉ−Ｃｏｎｔａｃｔ  ＡＧ製のタイプの円形の金属接点ストリップ３６が締結されている。これらの接点は、プランジャー軸体１２のピン１６がその中に移動されるハウジングの空間Ｄ３に突出する。
【００５８】
転極器１１はまた、プランジャー軸体１２のピン１６のねじ切り部分１８にねじ止めされることによってその締結が行われるジャケット３７を備える。ジャケットの最終的な位置決めおよび係止用の支柱３８は、ジャケット３７の第１の端部と軸体のベベル１７との間に載置される。はさみ金３９は、ジャケット３７の第２の端部とハウジングの可動の封止部分３との間に位置する。
【００５９】
ジャケット３７が導電性である場合、支柱３８ならびにはさみ金３９は、導電性ジャケット３７を隣接するポストＰ１および封止部３から絶縁するため、絶縁材料で作られる。
【００６０】
明らかに、ジャケット３７は、ねじ止め以外のあらゆる手段によって、例えばクリップを使用することによって締結することができるが、それは、この作業によって後に続く交換が可能になるためである。
【００６１】
正常に機能している際、すなわち、プランジャー軸体がトリガーによって被覆位置で保持されているとき、供給回路は、ジャケット３７と、ポストＰ１およびＰ２を装備している接点３６とを接続し、それによって回路の電気的連続性をもたらすことによって確立される。バッテリー要素に事故が起こった場合、トリガー１０はプランジャー軸体１２を解放し、それがばね２１が緩む作用によって転位され、それにより、導電性ジャケット３７がポストＰ２およびＰ３を装備している接点３６間の接続を確立し、それによってバイパス回路の電気的連続性をもたらすことが可能になる。
【００６２】
図６は、２つの円形の金属接点３６がそれぞれ導電性ジャケット３７の外面に切り込まれた凹部４０内に位置決めされた、第２の実施形態を示す。前述の実施形態と同様に、接点は、ピン１６がその中に転位されるハウジングの空間Ｄ３に突出している。正常に機能している際、すなわち、プランジャー軸体がトリガーによって被覆位置で保持されているとき、供給回路は、接点２６を有するジャケット３７とポストＰ１およびＰ２とを接続することによって確立される。バッテリー要素に事故が起こった場合、トリガー１０はプランジャー軸体１２を解放し、それがばね２１が緩む作用によって転位され、それにより、ジャケット３７がジャケットによって支持される接点３６とポストＰ２およびＰ３との間の接続を確立し、それによってバイパスをもたらすことが可能になる。
【００６３】
この実施形態の一変形例によれば、導電性ジャケット３７に対するポストＰ１、Ｐ２、およびＰ３の幅と間隔は、連通している間の３つのポストの隔離または短絡のどちらかを可能にするようなサイズである。
【００６４】
図７ａおよび７ｂは、ピン１６が、そのねじ切りされた端部１８上に台座４１の形態のジャケットを受け入れ、台座が、ピン１６を取り囲む支柱３８とはさみ金３９との間に係止され、図７ｂに示されるように、台座４１内で同心的に配置された導電材料で作られたキー４２を位置決めすることが可能になっている、第３の実施形態を示す。キーは、止め輪４３によって適所で保持されており、台座４１内に位置決めされた、キー４２に作用する円形のばね４４によって、機能している間は圧縮状態で維持することができる。前述の実施形態と同様に、キーアセンブリは、プランジャー軸体の位置に応じて、ポストＰ１、Ｐ２、およびＰ３を接続することによって電気的連続性をもたらす。
【００６５】
この第３の実施形態の第１の変形例によれば、キー４２はそれぞれ、台座４１内の個々のばねによって圧縮状態で維持される。
【００６６】
この第３の実施形態の第２の変形例によれば、キー４２は、ベリリウム青銅で作られており、組み込まれたばねアームを備え、それが、キーを嵌合させる間、台座４１内にそれ自体を位置決めする個々のばねによって、このような形で装備された各キーを圧縮状態で維持する。
【００６７】
本発明は、記載された素子の特性に限定されるものではなく、それとは反対に、電気部品のモジュール式バイパス素子を構成する要素の組立て、分解、および交換を可能にするあらゆる素子を含む。
【図１】
2009540488.tif 000003
【図２ａ】
2009540488.tif 000004
【図２ｂ】
2009540488.tif 000005
【図３ａ】
2009540488.tif 000006
【図３ｂ】
2009540488.tif 000007
【図４】
2009540488.tif 000008
【図５】
2009540488.tif 000009
【図６】
2009540488.tif 000010
【図７ａ】
2009540488.tif 000011
【図７ｂ】
2009540488.tif 000012
【手続補正書】
【提出日】平成21年4月15日(2009.4.15)
【手続補正１】
【補正対象書類名】明細書
【補正対象項目名】０００１
【補正方法】変更
【補正の内容】
【０００１】  本発明は、電気部品のバイパス素子に関し、より具体的には、制御電流を使用する熱的活性化バイパス素子に関する。より具体的には、不具合を起こしているバッテリー要素の隔離および短絡における用途が見出される。本発明は、特に、請求項1及び１０のプレアンブルに関連するモジュール式バイパス素子に関する。この種のモジュール式バイパス素子は、米国特許６，２４９，０６３号に示されている。
【手続補正２】
【補正対象書類名】明細書
【補正対象項目名】００１３
【補正方法】変更
【補正の内容】
【００１３】  米国特許第６，２４９，０６３号は、環状接点を有し、端子間に電気的連続性をもたらす絶縁性半軸体（half-shaft）に接続された導電性半軸体、それら自体は歪められたワイヤコイルによって接触した状態で維持されている２つの半殻によって保持された絶縁性半軸体に機械的に接続されたプランジャーを開示しており、前記歪みは、可溶要素がその電気的閾値で破壊されたときに解放される。より具体的には、この文書は、可動の封止手段を有し、端部の一方が電気部品回路の端子の一方に接続され、他方が、ハウジングの内部に突出してハウジングの壁に締結されるとともに、接点ポストを構成する導電性端子を備えたハウジングと、プランジャー軸体から成る制御素子の２つの位置間での転位をもたらすとともに、プランジャー軸体とハウジングの内壁との間に形成された空間内に配置されたばねを含むアクチュエータと、可溶材料によって適所で保持されたプランジャー軸体の固定素子を含むトリガーと、ハウジングによって支持された端子の２つの接点ポスト間に電気的連続性をもたらす接点区域を含む転極器とを備える、電気部品のモジュール式バイパス素子を記載している。
【国際調査報告】
2009540488.tif 000013
2009540488.tif 000014